(57)【要約】      （修正有）【課題】リモコン発信機に任意に取付けることによって、装飾性を高め、室内調度品としての味気なさを解消できる新規のリモコン発信機用の飾り具を提供する。【解決手段】飾り部１２と、該飾り部に設けられたリモコン発信機１０への取付部と、該飾り部に設けられたリモコン発信機の発光方向変換部１５とを備え、該発光方向変換部が折曲された形状を保持する折曲可能部、若しくは回転された形状を保持する回転可能部等の発光方向調整部を有し、前記発光方向変換部が平面、凹面、凸面、凹凸面の反射面をもつ反射体であり、前記取付部が、接着面、クリップ、キャップ部から選択された一つ以上で構成されていることを特徴とする。【選択図】図３
0003133585.tif 000002
【実用新案登録請求の範囲】
【請求項１】
飾り部と、該飾り部に設けられたリモコン発信機への取付部と、該飾り部に設けられたリモコン発信機の発光方向変換部とを備えたことを特徴とするリモコン発信機用の飾り具。
【請求項２】
前記発光方向変換部が、発光方向調整部を有していること特徴とする請求項１記載のリモコン発信機用の飾り具。
【請求項３】
前記発光方向変換部が、反射体であることを特徴とする請求項１又は２に記載のリモコン発信機用の飾り具。
【請求項４】
前記反射体の反射面が、平面、凹面、凸面、凹凸面から選択された一つ以上で構成されていることを特徴とする請求項３に記載のリモコン発信機用の飾り具。
【請求項５】
前記反射体が、反射面をもつレンズ若しくはプリズムであることを特徴とする請求項３に記載のリモコン発信機用の飾り具。
【請求項６】
前記取付部が、接着面、クリップ、キャップ部から選択された一つ以上で構成されていることを特徴とする請求項１乃至５のいずれか一つに記載のリモコン発信機用の飾り具。
【請求項７】
前記発光方向調整部が、折曲された形状を保持する折曲可能部であることを特徴とする請求項２乃至６のいずれか一つに記載のリモコン発信機用の飾り具。
【請求項８】
前記発光方向調整部が、前記飾り部の中心を通る軸に平行する縦軸を中心に回転する縦軸回転構造であることを特徴とする請求項２乃至６のいずれか一つに記載のリモコン発信機用の飾り具。
【請求項９】
前記発光方向調整部が、前記縦軸に交叉する横軸を中心に角度を変える横軸回転構造であることを特徴とする請求項２乃至６のいずれか一つに記載のリモコン発信機用の飾り具。
【請求項１０】
折り曲げて手放したときに該折り曲げ状態を維持する形状保持部が前記飾り部に設けられ、この形状保持部が前記発光方向調整部とされたことを特徴とする請求項２乃至６のいずれか一つに記載のリモコン発信機用の飾り具。
【請求項１１】
前記発光方向変換部が光ファイバーで構成され、該光ファイバーの発光端面が前記折曲可能部、前記縦軸回転構造、前記横軸回転構造、前記形状保持部のうちの一つ以上により発光方向調整される構成にされたことを特徴とする請求項２又は７乃至１０のいずれか一つに記載のリモコン発信機用の飾り具。
【考案の詳細な説明】
【技術分野】
【０００１】
本考案は、エアコン、室内灯、テレビ、ビデオ、オーディオ、パソコン、電子ゲーム器等電気機器のリモコン発信機用の飾り具に関する。
【背景技術】
【０００２】
従前、エアコン等電気機器のリモコン発信機は、飾り付けシールを貼るとか、下げ飾を着ける等の方法で装飾されているだけで、装飾性が乏しく室内調度品として味気ないところがあった。
【０００３】
又、この種、リモコン発信機は、紛失を防止するために壁等に据付けられたリモコンホルダーに収納することで使用されることが多い。
【０００４】
しかしながら、斯かる使用の場合、リモコンをホルダーからいちいち手に持ち替えて操作しなればならない煩わしさがあった。
【０００５】
前記煩わしさを払拭する手段として、従前、持ち替え操作を省けるようにと言うことで、壁等に据付けられるホルダーに反射部を設けたものが、〔特許文献１〕〔特許文献２〕により開示されている。
【０００６】
それにしても、リモコン発信機は何処へでも自由に移動できるのに、ホルダーは、壁に据付けられていて他の場所へは移動できないものであるため、次のような問題があった。
（1）リモコンがテーブルや机の上、ベッドの傍ら等に所謂置去り状態にされたときには、ホルダーに設けた反射部の機能を有効に利用できない。
（2）前記置去り状態が紛失につながる。
（3）手に持ち、向きを調節してから操作する必要があった。
（4）リモコンが依然として前記したような装飾性の乏しさ、室内調度品として味気なさがあった。
（5）ホルダーの位置替え時には壁等に痕跡が残る。
【特許文献１】実開平５−２３６９２号公報
【特許文献１】実開平５−９７１８８号公報
【考案の開示】
【考案が解決しようとする課題】
【０００７】
本考案は、前記したような現状に鑑みてなされたものであり、リモコン発信機に任意に取付けることによって、装飾性を高め、室内調度品としての味気なさを解消し、しかも使用場所が限定されない使用ができると共に、リモコン発信機を手に持たずに操作することを可能にできる新規のリモコン発信機用の飾り具を提供することを目的とする。
【課題を解決するための手段】
【０００８】
上記目的を達成するために、請求項１に記載の考案は、飾り部と、該飾り部に設けられたリモコン発信機への取付部と、該飾り部に設けられたリモコン発信機の発光方向変換部とを備えたことを特徴とする。
【０００９】
請求項２に記載の考案は、請求項１の考案の構成に加え、前記発光方向変換部が、発光方向調整部を有していること特徴とする。
【００１０】
請求項３に記載の考案は、請求項１又は２の考案の構成に加え、前記発光方向変換部が、反射体であることを特徴とする。
【００１１】
請求項４に記載の考案は、請求項３の考案の構成に加え、前記反射体の反射面が、平面、凹面、凸面、凹凸面から選択された一つ以上で構成されていることを特徴とする。
【００１２】
請求項５に記載の考案は、請求項３の考案の構成に加え、前記反射体が、反射面をもつレンズ若しくはプリズムであることを特徴とする。
【００１３】
請求項６に記載の考案は、請求項１乃至５のいずれかの考案の構成に加え、前記取付部が、接着面、クリップ、キャップ部から選択された一つ以上で構成されていることを特徴とする。
【００１４】
請求項７に記載の考案は、請求項２乃至６のいずれかの考案の構成に加え、前記発光方向調整部が、折曲された形状を保持する折曲可能部であることを特徴とする。
【００１５】
請求項８に記載の考案は、請求項２乃至６のいずれかの考案の構成に加え、前記発光方向調整部が、前記飾り部の中心を通る軸に平行する縦軸を中心に回転する縦軸回転構造であることを特徴とする。
【００１６】
請求項９に記載の考案は、請求項２乃至６のいずれかの考案の構成に加え、前記発光方向調整部が、前記縦軸に交叉する横軸を中心に角度を変える横軸回転構造であることを特徴とする。
【００１７】
請求項１０に記載の考案は、請求項２乃至６のいずれかの考案の構成に加え、折り曲げて手放したときに該折り曲げ状態を保持する形状保持部が前記飾り部に設けられ、この形状保持部が前記発光方向調整部とされたことを特徴とする。
【００１８】
請求項１１に記載の考案は、請求項２又は７乃至１０のいずれかの考案の構成に加え、前記発光方向変換部が光ファイバーで構成され、該光ファイバーの発光端面が前記折曲可能部、前記縦軸回転構造、前記横軸回転構造、前記形状保持部のうちの一つ以上により発光方向調整される構成にされたことを特徴とする。
【考案の効果】
【００１９】
請求項１の考案によれば、飾り部と、該飾り部に設けられたリモコン発信機への取付部と、該飾り部に設けられたリモコン発信機の発光方向変換部とを備えたことを特徴とするので、リモコン発信機に任意に取付けることによって、装飾性を高め、室内調度品としての味気なさを解消し、しかも使用場所が限定されない使用ができると共に、リモコン発信機を手に持たずに操作することを可能にできる。
【００２０】
請求項２の考案によれば、前記発光方向変換部は、発光方向調整部を有しているので、請求項１の考案に記載の効果に加え、発光方向調整部を適宜操作することで最適な反射光の向きを選択できる。
【００２１】
請求項３の考案によれば、前記発光方向変換部は反射体であるので、請求項１又は２の考案に記載の効果に加え、簡略な構成で、最適な反射光を簡易に得ることができる。
【００２２】
請求項４の考案によれば、前記反射体の反射面は、平面、凹面、凸面、凹凸面から選択された一つ以上で構成されているので、請求項３の考案に記載の効果に加え、特定の反射光指向範囲を備えた製品を提供できる。
【００２３】
請求項５の考案によれば、前記反射体は、反射面をもつレンズ若しくはプリズムであるので、請求項３の考案に記載の効果に加え、特定の反射光指向範囲を備えた製品を提供できる。
【００２４】
請求項６の考案によれば、前記取付部は、接着面、クリップ、キャップ部から選択された一つ以上で構成されているので、請求項１乃至５のいずれかの考案に記載の効果に加え、リモコン発信機への装着が困難なく容易にできる。
【００２５】
請求項７の考案によれば、前記発光方向調整部は、折曲された形状を保持する折曲可能部であるので、請求項２乃至６のいずれかの考案に記載の効果に加え、折曲可能部を介して発光方向調整操作が手軽にできる。
【００２６】
請求項８の考案によれば、前記発光方向調整部は、前記飾り部の中心を通る軸と平行する縦軸を中心に回転する縦軸回転構造であるので、請求項２乃至６のいずれかの考案に記載の効果に加え、前記縦軸回転構造を介して発光方向調整操作が手軽にできる。
【００２７】
請求項９の考案によれば、前記発光方向調整部は、前記縦軸に交叉する横軸を中心に角度を変える横軸回転構造であるので、請求項２乃至６のいずれかの考案に記載の効果に加え、前記横軸回転構造を介して発光方向調整操作が手軽にできる。
【００２８】
請求項１０の考案によれば、折り曲げて手放したときに該折り曲げ状態を保持する形状保持部は前記飾り部に設けられ、この形状保持部が前記発光方向調整部とされたので、請求項２乃至６のいずれかの考案に記載の効果に加え、前記形状保持部を介して発光方向調整操作が手軽にできる。
【００２９】
請求項１１の考案によれば、前記発光方向変換部は光ファイバーで構成され、該光ファイバーの発光端面は前記折曲可能部、前記縦軸回転構造、前記横軸回転構造、前記形状保持部のうちの一つ以上により発光方向調整される構成にされたので、請求項２又は７乃至１０のいずれかの考案に記載の効果に加え、安直な使い方ができる立体形状飾り部をもつ、高級感のある好体裁な製品の提供に好適である。
【考案を実施するための最良の形態】
【００３０】
〔第１実施の形態〕
図１乃至図４に基づいて本考案の第１実施の形態に係るリモコン発信機用の飾り具１１を説明する。なお、図１はこの第１実施の形態を示す一部切截斜視図であり、図２は図１の縦断面図であり、図３はその使用の状態を示す一部切截斜視図であり、図４は図３の縦断面図である。
【００３１】
この第１実施の形態に係るリモコン発信機用の飾り具１１は、エアコン（図示せず）用のものであって、表面が鏡面仕上にされた金属板に打抜加工を施して全体が製造されているものであり、飾り部１２と、リモコン発信機１０への取付部１３と、これら飾り部１２、取付部１３を連結する脚部１４と、発光方向変換部として機能する反射平面１５を有しているものである。そして、前記取付部１３には、その表面に感圧接着層１６が設けられ、該感圧接着層１６の表面には離型紙１７が剥除自在に被覆されているものである。
【００３２】
すなわち、前記第１実施の形態に係るリモコン発信機用の飾り具１１は、図３及び図４に示すように、前記離型紙１７を剥がし除いてから、前記反射平面１５が前記リモコン発信機１０の発光部１０aから出射される赤外線１０bを反射するのに適するように取付け位置を任意に選択して、前記感圧接着層１６をリモコン発信機１０の背面に押圧することで取付けるように構成されているものである。
【００３３】
したがって、前記第１実施の形態に係るリモコン発信機用の飾り具１１によれば、飾り具１１が取付けられた前記リモコン発信機１０は、従前と同様に壁等に取付けられたホルダー（図示せず）に入れて使用されたり、使用者が例えばベッドのところへ適宜移動させて使用される。そして、これら使用時には、使用者が前記脚部１４に折曲げ操作及び捻り操作を施すことで、前記赤外線１０bの反射角度を変更して、リモコン発信機１０の指向性を任意に切換える。
【００３４】
要するに、ホルダーに入れられた状態でのリモコン発信機１０の使用は、該ホルダーに入れた状態で、前記脚部１４の折曲げ操作や捻り操作により前記反射平面１５の向きが調整されて、該反射平面１５による反射光１５aの向きが前記エアコンの受光部に達するようにされてさえあれば、何時でも、使用者は、前記ホルダーからリモコン発信機１０を抜き外す操作、持ち替えて方向を合わせる操作等の操作をせずとも、ホルダーに入れたまま、該リモコン発信機１０の電源入切操作ボタン、その他操作ボタンを操作してエアコンを作動させることができる。
【００３５】
また、例えばベッドの傍ら等の手が楽に届くところに置かれた状態でのリモコン発信機１０の使用は、前記反射平面１５の向きが前記脚部１４に折曲げ操作や捻り操作により前記エアコンの受光部に達するように前以て調整されてさえあれば、使用者は、横臥状態のまま手を伸ばすだけで、何時でも、持ち替えて方向合わをする等の操作をせずとも、該リモコン発信機１０の電源入切操作ボタン、その他操作ボタンを操作してエアコンを作動させることができる。
【００３６】
この第１実施の形態に係るリモコン発信機用の飾り具１１は、前記の通りであるので、装飾性を高め、室内調度品としての味気なさを解消し、しかも使用場所が限定されない使用ができると共に、リモコン発信機を手に持たずに操作することを可能にできる。
【００３７】
〔第２実施の形態〕
図５に基づいて本考案の第２の実施の形態に係るリモコン発信機用の飾り具２１を説明する。なお、図５はこの第２実施の形態を使用の状態で示す一部切截斜視図である。
【００３８】
この第２実施の形態に係るリモコン発信機用の飾り具２１は、エアコン（図示せず）用のものであって、表面が鏡面仕上にされた金属板に打抜加工を施して全体が製造されているものであり、ハートの形にした飾り部２２と、リモコン発信機１０へのクリップ型取付部２３と、これら飾り部２２、取付部２３を連結する脚部２４と、発光方向変換部として機能するハート形の反射平面２５を有しているものである。そして、前記クリップ型取付部２３は、逆さ向きＵの字形状の挟み脚部２６a、２６bにより形成され、前記金属板の弾性により挟み止めるようにされているものである。
【００３９】
すなわち、前記第２実施の形態に係るリモコン発信機用の飾り具２１は、図５に示すように、前記リモコン発信機１０の発光部１０aから出射される赤外線１０bを反射するのに適する取付け個所を同リモコン発信機１０の外周縁に選定し、この選定個所を前記挟み脚部２６a、２６bで挟むことで取付けるように構成されているものである。
【００４０】
なお、この第２実施の形態に係る飾り具２１が取付けられたリモコン発信機１０は、前記第１実施の形態に係る飾り具１１が取付けられたリモコン発信機１０と同様の使い方で使用されるものである。
【００４１】
この第２実施の形態に係るリモコン発信機用の飾り具２１は、前記の通りであるので、前記第１実施の形態に係るリモコン発信機用の飾り具１１と同じように、装飾性を高め、室内調度品としての味気なさを解消し、しかも使用場所が限定されない使用ができると共に、リモコン発信機を手に持たずに操作することを可能にできる。とりわけ、取付部２３はクリップ型とされたので、要、不要の場合、容易に着脱できる利便性ある。
【００４２】
〔第３実施の形態〕
図６に基づいて本考案の第３の実施の形態に係るリモコン発信機用の飾り具３１を説明する。なお、図６はこの第３実施の形態を使用の状態で示す一部切截斜視図である。
【００４３】
この第３実施の形態に係るリモコン発信機用の飾り具３１は、次のようにして完成されている。
【００４４】
すなわち、先ず、手の形をした飾り部３２と挿し込み脚部３３が一体の飾り部本体３４が、表面が鏡面仕上にされた金属板から打抜加工され、またこれとは別個に合成ゴムを以てリモコン発信機１０に被せ止めるキャップ状体３５が成形される。なお、このキャップ状体３５の成形のときには、挿し込み脚部３３の挿し込み孔３６及び前記リモコン発信機１０の発光部１０aを露呈状態にする開放孔３７が同時に成形される。然るのち、前記挿し込み脚部３３を前記挿し込み孔３６に差し込み止めることで完成品とされている。
【００４５】
この第３実施の形態に係るリモコン発信機用の飾り具３１は、図６に示すように、前記キャップ状体３５が前記リモコン発信機１０に対して、前記リモコン発信機１０の発光部１０aが前記開放孔３７から露呈する状態になるように冠着されて使用されるものである。
【００４６】
なお、この第３実施の形態に係る飾り具３１が取付けられたリモコン発信機１０は、前記第１実施の形態に係る飾り具１１が取付けられたリモコン発信機１０と同様の使い方で使用されるものである。
【００４７】
この第３実施の形態に係るリモコン発信機用の飾り具３１は、前記の通りであるので、前記第１実施の形態に係るリモコン発信機用の飾り具１１と同じように、装飾性を高め、室内調度品としての味気なさを解消し、しかも使用場所が限定されない使用ができると共に、リモコン発信機を手に持たずに操作することを可能にできる。とりわけ、合成ゴム製キャップ状体３５を採用したので、合成ゴムの弾性利用でフリーサイズ的な使用ができる。
【００４８】
〔第４実施の形態〕
図７に基づいて本考案の第４の実施の形態に係るリモコン発信機用の飾り具４１を説明する。なお、図７はこの第４実施の形態を使用の状態で示す一部切截斜視図である。
【００４９】
この第４実施の形態に係るリモコン発信機用の飾り具４１は、象の容姿を模した飾り部４２と、該飾り部４２に設けられたリモコン発信機１０への取付部４３と、該飾り部４２に設けられたリモコン発信機１０の発光方向変換部４４と、発光方向調整部４５とを備えた構成にされており、前記取付部４３は、飾り部４２の底面に座部として機能する鉤形の凹み部４６を設けて構成されている。又、前記発光方向変換部４４は、短い光ファイバー４７が前記飾り部４２に埋め込まれて構成されている。この場合、該光ファイバー４７の埋め込みは、該光ファイバー４７の基端面４７aが使用時にはリモコン発信機１０の発光部１０bと対面するようにされ、且つ同光ファイバー４７の先端面４７bが前記象の鼻の先端に露呈された状態及びエアコンの受光部側に向くようにされた状態にされている。更に前記発光方向調整部４５は、前記光ファイバー４７の曲り具合を調整することで方向を変えて行うようにされている。具体的には前記象の鼻の曲がり具合を変えることで方向調整できるようにされている。このために象の鼻部分には、図には示していないが、折り曲げて手放したときに該折り曲げ状態を維持する形状保持部用として金属芯（図示せず）が前記光ファイバー４７に添えた添木の状態にして埋め込んである。なお、前記金属芯は、パイプ状にして光ファイバー４７に被せてから埋め込むようにしてもよいし、又、前記飾り部４２の全体若しくは要部が前記形状保持部用として機能する材質製である場合には省略してもよい。
【００５０】
すなわち、この第４実施の形態に係るリモコン発信機用の飾り具４１は、図７に示すように、前記鉤形の凹み部４６をリモコン発信機１０の上面に嵌合させ、同リモコン発信機１０上に座らせた格好で使用できるように構成されたものである。この場合、光ファイバー４７の基端面４７aがリモコン発信機１０の発光部１０bと対面するように座らせる。なお、この座りを固定するために、前記鉤形凹み部４６の壁面に離型紙で被覆した接着層を設けた構成、或いは接着剤、ビス等で永久固定するような構成にすることは任意である。
【００５１】
なお、この第４実施の形態に係る飾り具４１が取付けられたリモコン発信機１０は、前記第１実施の形態に係る飾り具１１が取付けられたリモコン発信機１０と同様の使い方で使用されるものである。
【００５２】
この第４実施の形態に係るリモコン発信機用の飾り具４１は、前記の通りであるので、前記第１実施の形態に係るリモコン発信機用の飾り具１１と同じように、装飾性を高め、室内調度品としての味気なさを解消し、しかも使用場所が限定されない使用ができると共に、リモコン発信機を手に持たずに操作することを可能にできる。とりわけ、高級感のある立体形状飾り部をもつ好体裁の製品の提供に好適であり、安直な使い方ができる。
【００５３】
〔第５実施の形態〕
図８に基づいて本考案の第５の実施の形態に係るリモコン発信機用の飾り具５１を説明する。なお、図８はこの第５実施の形態を使用の状態で示す縦断面図である。
【００５４】
この第５実施の形態に係るリモコン発信機用の飾り具５１は、表面が鏡面仕上にされた金属板に打抜加工を施して製造された、前面が反射平面５２として機能する飾り部５３とリモコン発信機１０への取付部５４とをヒンジ構造部５５で連結することにより構成されている。そして、前記取付部５４には、その表面に感圧接着層５６が設けられ、該感圧接着層５６の表面には離型紙（図示せず）が剥除自在に被覆されているものである。すなわち、前記ヒンジ構造部５５で飾り部５３の傾斜角度を任意に調整することで、該反射平面５２による反射光５２aが前記エアコンの受光部に達する向きになるようにされたものである。
【００５５】
なお、この第５実施の形態に係る飾り具５１が取付けられたリモコン発信機１０は、前記第１実施の形態に係る飾り具１１が取付けられたリモコン発信機１０と同様の使い方で使用されるものである。
【００５６】
この第５実施の形態に係るリモコン発信機用の飾り具５１は、前記の通りであるので、前記第１実施の形態に係るリモコン発信機用の飾り具１１と同じように、装飾性を高め、室内調度品としての味気なさを解消し、しかも使用場所が限定されない使用ができると共に、リモコン発信機を手に持たずに操作することを可能にできる。とりわけ、前記ヒンジ構造部５５を採用したので、安直な使い方ができる。
【００５７】
〔第６実施の形態〕
図９に基づいて本考案の第６の実施の形態に係るリモコン発信機用の飾り具６１を説明する。なお、図９はこの第６実施の形態を使用の状態で示す縦断面図である。
【００５８】
この第６実施の形態に係るリモコン発信機用の飾り具６１は、前記第５実施の形態に係るリモコン発信機用の飾り具５１がヒンジ構造部５５を用いているのに替えて、球面軸受構造６２を用いた点が異なるものであるから、ここでは、同じ部位に同一の符号を付してその詳細な説明は省略する。
【００５９】
すなわち、この第６実施の形態に係るリモコン発信機用の飾り具６１は、反射平面５２の向きを前・後・左・右・方向に変更しうるようにされているものである。
【００６０】
なお、この第６実施の形態に係る飾り具６１が取付けられたリモコン発信機１０は、前記第１実施の形態に係る飾り具１１が取付けられたリモコン発信機１０と同様の使い方で使用されるものである。
【００６１】
この第６実施の形態に係るリモコン発信機用の飾り具６１は、前記の通りであるので、前記第１実施の形態に係るリモコン発信機用の飾り具１１と同じように、装飾性を高め、室内調度品としての味気なさを解消し、しかも使用場所が限定されない使用ができると共に、リモコン発信機を手に持たずに操作することを可能にできる。とりわけ、前記球面軸受構造６２を採用したので、所謂広角調節ができる。
【００６２】
以上、本考案の実施の形態のいくつかについて説明したが、本考案は、これら実施の形態に限定されるものでなく、実用新案登録請求の範囲に記載された考案の精神を逸脱しない範囲において、たとえば次にような種々の態様で実施することは可能であり、そして、本考案はこれ等実施されたものにも及ぶものである。
・  反射光の指向範囲を狭くするために前記反射平面を反射凹面にする。
・  反射光の指向範囲を広くするために前記反射平面を反射凸面にする。
・  反射光の指向範囲を広くするために前記反射平面を反射凹凸面にする。
・  反射光の指向範囲を広くするためにレンズ若しくはプリズムを使用する。
・  取付部を締付バンドやゴムバンドにする。
・  プラスチック、陶磁器、ガラス、木材、その他に反射フイルムを貼ることで前記反射凹面、反射凸面、反射凹凸面を得る。
・  飾り部は、プラスチック、陶磁器、ガラス、木材、その他で構成する。
・  発光方向調整部を折曲げ操作、捻り操作ができる針金、細幅金属片にする。
・  飾り部の形象は、動物、植物、自然物をモデルにしたものや空想物にする。
・  飾り部は、暗闇で認識できる自発光材製とする。
【図面の簡単な説明】
【００６３】
【図１】第１実施の形態を示す一部切截斜視図である。
【図２】図１の縦断面図である。
【図３】同じく使用の状態を示す一部切截斜視図である。
【図４】図３の縦断面図である。
【図５】第２実施の形態を使用の状態で示す一部切截斜視図である。
【図６】第３実施の形態を使用の状態で示す一部切截斜視図である。
【図７】第４実施の形態を使用の状態で示す一部切截斜視図である。
【図８】第５実施の形態を使用の状態で示す縦断面図である。
【図９】第６実施の形態を使用の状態で示す縦断面図である。
【符号の説明】
【００６４】
１０  リモコン発信機
１０a  発光部
１０b  赤外線
１１  第１実施の形態に係るリモコン発信機用の飾り具
１２  飾り部
１３  取付部
１４  脚部
１５  反射平面
１５a  反射光
１６  感圧接着層
１７  離型紙
２１  第２の実施の形態に係るリモコン発信機用の飾り具
２２  飾り部
２３  取付部
２５  反射平面
２６a、２６b  挟み脚部
３１  第３の実施の形態に係るリモコン発信機用の飾り具
３２  飾り部
３３  脚部
３４  飾り部本体
３５  キャップ状体
３６  挿し込み孔
３７  開放孔
４１  第４の実施の形態に係るリモコン発信機用の飾り具
４２  飾り部
４３  取付部
４４  発光方向変換部
４５  発光方向調整部
４６  凹み部
４７  光ファイバー
４７a  基端面
４７b  先端面
５１  第５実施の形態に係るリモコン発信機用の飾り具
５２  反射平面
５２a  反射光
５３  飾り部
５４  取付部
５５  構造部
５６  感圧接着層
６１  第５実施の形態に係るリモコン発信機用の飾り具
６２  球面軸受構造
【図１】
0003133585.tif 000003
【図２】
0003133585.tif 000004
【図３】
0003133585.tif 000005
【図４】
0003133585.tif 000006
【図５】
0003133585.tif 000007
【図６】
0003133585.tif 000008
【図７】
0003133585.tif 000009
【図８】
0003133585.tif 000010
【図９】
0003133585.tif 000011